(57)【要約】【課題】地域向け情報を該当する地域の視聴者に確実に視聴させる、安価かつ運用が容易なデジタル放送システム及びデジタル放送方法を提供する。【解決手段】トランスポートストリーム形式の放送信号（放送ＴＳ信号）を生成するスタジオ局１１において、各地域向け放送コンテンツに該地域の番組特定情報と関連付ける識別子が付与された放送ＴＳ信号が生成される。そして、通信回線を介して配信された地上波デジタル放送用送信所３１において、放送ＴＳ信号に含まれる番組特定情報が当該放送区域に指定された番組特定情報に書き換えられる。【選択図】図１
2017073619.tif 000002
【特許請求の範囲】
【請求項１】
トランスポートストリーム形式の放送信号（本特許請求の範囲において、以下「放送ＴＳ信号」という。）を生成するスタジオ局と、通信回線を介して配信された前記放送ＴＳ信号を受信し、地上波デジタル放送信号に変換して所定の無線周波数で当該放送区域の地上波放送用受信機に送信する地上波デジタル放送用送信所を備えるデジタル放送システムであって、
前記スタジオ局が、異なる地域向けデータ放送コンテンツに該コンテンツを放送する地域の番組特定情報と関連付ける識別子が付与されたデータ送信用信号を生成するデータ放送制作送出部と、前記データ送信用信号を含む信号と番組特定情報を多重化して放送ＴＳ信号を生成する多重化部を、
前記地上波デジタル放送用送信所が、前記放送ＴＳ信号に含まれる番組特定情報を当該放送区域に指定された番組特定情報に書き換えるＰＳＩ書換部を
それぞれ有し、前記放送ＴＳ信号を異なる地上波放送区域に放送可能にしたデジタル放送システム。
【請求項２】
前記スタジオ局が、番組特定情報に緊急放送を行う1又は複数の地域の地域コードが入力される入力部を有し、
前記地上波デジタル放送用送信所が、前記入力部に入力された地域コードを当該送信所に割り当てられた地域コードと照合する照合部と、一致する地域コードが存在する場合にはデジタル放送信号中の緊急放送用起動制御フラグを起動する起動部を有する請求項１記載のデジタル放送システム。
【請求項３】
前記スタジオ局が、情報を伝送していないパケットを前記放送ＴＳ信号から削除して伝送速度を圧縮する放送ＴＳ信号圧縮装置を、
前記地上波デジタル放送用送信所が、前記放送ＴＳ信号圧縮装置により圧縮された圧縮放送ＴＳ信号に前記パケットを挿入して、圧縮前の放送ＴＳ信号に伸長する放送ＴＳ信号伸長装置を
それぞれ有する請求項１又は請求項２記載のデジタル放送システム。
【請求項４】
放送ＴＳ信号を生成するスタジオ局と、通信回線を介して配信された前記放送ＴＳ信号を受信し、地上波デジタル放送信号に変換して所定の無線周波数で当該放送区域の地上波放送用受信機に送信する地上波デジタル放送用送信所を備えるデジタル放送システムであって、
前記スタジオ局が、異なる地域向けデータ放送コンテンツに該コンテンツを放送する地域の番組特定情報と関連付ける識別子が付与されたデータ送信用信号を生成するデータ放送制作送出部と、前記データ送信用信号を含む信号と番組特定情報を多重化して放送ＴＳ信号を生成する多重化部と、情報を伝送していないパケットを前記放送ＴＳ信号から削除し伝送速度を圧縮する放送ＴＳ信号圧縮装置とを、
前記地上波デジタル放送用送信所が、前記放送ＴＳ信号圧縮装置により圧縮された圧縮放送ＴＳ信号に前記パケットを挿入して伸長し、該伸長された放送ＴＳ信号に含まれる番組特定情報を当該放送区域に指定された番組特定情報に書き換える放送ＴＳ信号伸張・ＰＳＩ書換部を
それぞれ有することを特徴とするデジタル放送システム。
【請求項５】
放送ＴＳ信号を地上波デジタル放送信号に変換して所定の無線周波数で当該放送区域の地上波放送用受信機に送信する地上波デジタル放送用送信所であって、
異なる地域向けデータ放送コンテンツに該コンテンツを放送する地域の番組特定情報と関連付ける識別子が付与されたデータ送信用信号を含む信号と番組特定情報が多重化された放送ＴＳ信号を受信する受信部と、
前記受信部によって受信された放送ＴＳ信号に含まれる番組特定情報を当該送信所の当該放送区域に指定された番組特定情報に書き換えるＰＳＩ書換部と
を有することを特徴とする地上波デジタル放送用送信所。
【請求項６】
放送ＴＳ信号を地上波デジタル放送信号に変換して所定の無線周波数で当該放送区域の地上波放送用受信機に送信する地上波デジタル放送用送信所に配置され、異なる地域向けデータ放送コンテンツに該コンテンツを放送する放送地域の番組特定情報と関連付ける識別子が付与されたデータ送信用信号を含む信号と番組特定情報が多重化して生成された放送ＴＳ信号を前記放送地域に指定された番組特定情報に書き換えるＰＳＩ書換部であって、
前記放送ＴＳ信号に組み入れられた前記放送地域の番組特定情報と関連付ける識別子と当該送信所に割り当てられた１又は複数の放送区域を識別する識別子を照合する照合部と、
前記識別子が一致する場合には、デジタル放送信号中の前記放送地域の番組特定情報を放送するための起動制御フラグを起動する起動部と
を有することを特徴とするＰＳＩ書換部。
【請求項７】
異なる地域向けデータ放送コンテンツに該コンテンツを放送する地域の番組特定情報と関連付ける識別子を付与してデータ送信用信号を生成するステップと、
前記データ送信用信号を含む信号と番組特定情報を多重化して放送ＴＳ信号を生成するステップと、
前記ステップで生成された放送ＴＳ信号を通信回線を介して地上波デジタル放送用送信所に配信するステップと、
前記地上波デジタル放送用送信所に配信された放送ＴＳ信号に含まれる番組特定情報を当該放送区域に指定された番組特定情報に書き換えるステップと、
前記ステップで書き換えられた放送ＴＳ信号を地上波デジタル放送信号に変換するステップと
を含むデジタル放送方法。
【請求項８】
前記地上波デジタル放送用送信所に配信する放送ＴＳ信号から、情報を伝送していないパケットを削除して伝送速度を圧縮するステップと、
前記ステップで圧縮された放送ＴＳ信号に前記パケットを挿入して、圧縮前の放送ＴＳ信号に伸長するステップと
を含む請求項７記載のデジタル放送方法。
【請求項９】
スタジオ局において、1又は複数の地域の地域コードが入力された番組特定情報が多重化されて放送ＴＳ信号が生成されるステップと、
前記ステップにて生成された放送ＴＳ信号を地上波デジタル放送用送信所に配信するステップと、
前記ステップにて配信された放送ＴＳ信号を受信した前記地上波デジタル放送用送信所が、前記放送ＴＳ信号に組み入れられた前記地域コードと当該送信所に割り当てられた地域コードを照合し、一致する地域コードが存在する場合には地上波デジタル放送信号中の緊急放送用起動制御フラグを起動するステップと
を含むデジタル放送方法。
【発明の詳細な説明】
【技術分野】
【０００１】
本発明は、地上デジタル放送を行うデジタル放送システム及びデジタル放送方法に関する。
【背景技術】
【０００２】
近年、地上波放送はデジタル化されている。このようなデジタル放送サービスにおいては、視聴者が容易にチャンネルや番組を選択できるように、放送される信号の中に番組特定情報（ＰＳＩ：Program Specific Information）を多重化して放送を行うことが知られている（例えば、特許文献１，２参照）。番組特定情報の中のネットワーク情報テーブル（ＮＩＴ：Network Information Table）には、放送の伝送路に関する周波数や変調方式などの情報が記述されており、受信機において、放送チャンネルの選択等の操作を容易に行うために利用されている。ＮＩＴ内に記述されているネットワークＩＤ（network_id）が、放送地域毎、チャンネル毎に一対一で対応している（このような状態を「ユニーク」ということがある。）ため、デジタル放送では、受信機においてネットワークＩＤにより容易にチャンネル選択ができる仕組みとなっている。
【０００３】
図１２は、従来の地上デジタル放送システムの構成の一例を示す。図１２に示すように、地上デジタル放送事業者のスタジオシステムである番組制作編集設備２１１では、キー局又は準キー局から放送プログラム交換回線２２７を介して供給される全国向け放送プログラムと、各地方局において制作され、カメラ２１２やＶＴＲ他の記録装置２１３や衛星通信用送受信機２６３から供給される放送プログラムがスイッチャ２１４において選択され、フルセグエンコーダ２１５においてエンコードしてフルセグＴＶ信号に変換された後、多重化装置２２１のプログラム多重化部２２２において他の放送信号と共に多重化される。
【０００４】
多重化された信号は、放送ＴＳ信号生成部２２６において、フレーム同期信号生成部２２３で生成されるフレーム同期信号、伝送制御情報生成部２２４で生成される伝送制御情報、無効パケット信号生成部２２５において生成され、伝送速度を所定の速度に合わせるために挿入される無効パケット信号と多重化され、送信所２３１に伝送される信号形式である放送用トランスポートストリーム形式の放送信号（本明細書において、「放送ＴＳ信号」ということがある。）として放送ＴＳ信号配信回線２２８を介して送信所２３１に伝送される。
【０００５】
地方局送信所２３１に伝送された放送ＴＳ信号は、伝送路符号化部２３２に供給され、所定の誤り訂正符号及び変調方式に変換された後、デジタル変調部２３３内の逆フーリエ変換部２３４において地上デジタル放送の信号形式であるＯＦＤＭ（Orthogonal Frequency Division Multiplex：直交周波数分割多重）信号に変換される。ガードインターバル付加部２３５でＯＦＤＭ信号にマルチパスの影響を除去するためのガードインターバルが付加された後、周波数変換部（Ｕ／Ｃ）２３６において送信周波数に変換される。次に、送信部２３７において所定の送信電力まで増幅された後、送信アンテナ２３８から地上デジタル放送信号として無線送信され、一般家庭のＴＶ受信機に配信される。
【０００６】
デジタル放送では、携帯端末などでの受信を可能としたワンセグ放送や放送コンテンツの付加情報及びニュース・天気予報のように独立した情報を提供するデータ放送などのサービスが提供されており、ワンセグ放送やデータ放送などは災害時に視聴者に的確に情報を伝える有効な手段である。
これらの放送サービスは、主たるＴＶ放送サービスとは別の設備である映像ダウンコンバータ２１６、ワンセグエンコーダ２１７、データ放送制作端末（フルセグ用）２１８Ａ、同（ワンセグ用）２１８Ｂ、データ放送送出装置２１９Ａ、２１９Ｂによりプログラムの制作・多重化が行われる。
また、デジタル放送においては、受信機における放送局選択、プログラム選択等を容易にするために番組特定情報が多重化されている。番組特定情報中のＮＩＴなど放送チャンネルを示す情報は独自に生成され、放送局毎にユニークなＩＤ番号が付与されているので、受信機が当該地域における複数の放送電波の中から所定の放送チャンネルを容易に選択できる。
【０００７】
同一系列局の地方局で放送区域が隣接している場合、同一時間帯に同一の全国向け放送プログラムが放送されることもあるが、放送局毎の放送信号に多重化されているＮＩＴには、地方局毎にユニークＩＤ番号が付与されているので、受信機はこのＩＤ番号を知ることにより、自地域の放送局か否かを識別することで、放送地域の区域周辺の重複地域における混信が防止できる。このような番組特定情報は、放送局毎に設置されている番組配列情報生成部２２０において生成され、放送ＴＳ信号に多重化される。
以上は、特定の地域の放送区域をカバーする場合の放送事業者の設備を示したが、激甚災害に遭遇した場合には、設備を単に多重化しただけでは、放送業務を継続することが困難な場合があるため、費用が安価で、運用が容易な放送用バックアップが求められている。
【０００８】
一方、地方局の整備が不十分な場合、番組制作編集設備２１１で放送プログラムを制作して、全国向け放送ＴＳ信号を配信するネットワークを介して全国の送信局に配信し、そこからからデジタル放送を行うケースもある。例えば、衛星通信回線を通して全国の地方局送信所に放送ＴＳ信号を配信することがある。
このように全国を対象として放送プログラムを制作し、全国向け配信ネットワークを介して同一放送プログラムを各地域の地方局送信所に配信し同一内容の放送プログラムを放送する方法は、単一の番組制作編集設備で対応できるため設備を整備したり維持する費用が安価になる利点がある。
【先行技術文献】
【特許文献】
【０００９】
【特許文献１】特開２００１−１９７０２５号公報
【特許文献２】特開２００２−３５９８２５号公報
【発明の概要】
【発明が解決しようとする課題】
【００１０】
しかしながら、この方法では全国一律の放送プログラムしか放送できないため、地域向け放送サービス、とりわけ特定地域のローカルニュース、自治体情報、さらには特定地域での甚大な被害が予想される地震や台風のような災害情報の提供が限定される。
別の方法として、番組制作編集設備２１１において、複数の地域向け情報をデータ放送の形式で多重化することが考えられる。この方法によれば、放送ＴＳ信号がいずれの地域にも共通の放送信号となっており、衛星通信回線を介して各地域の地方局送信所２３１に送られる。
この方法では、視聴者には、多くの地域向けデータ放送情報の中から各地域に関連した放送情報を選択しなければならないという煩雑な操作が必要になるので、地域に特化したデータ放送情報が活用されにくいという問題が生じる。さらに、台風や地震などの緊急を要する情報も見逃されてしまう恐れがある。
【００１１】
また、日本方式の地上デジタルテレビジョン放送（以下、「ＩＳＤＢ−Ｔ」と記す）には、緊急警報により受信機を自動起動する機能が含まれている。具体的には、受信機を制御するＴＭＣＣ（Transmission and Multiplexing Configuration Control）信号の中に起動制御信号（緊急警報放送用起動フラグ）が含まれており、この信号をオンにすることにより緊急起動対応が可能な受信機は電源オフ状態から自動的にオンになる。この機能は、大部分の受信機がオフ状態となっている夜間などの緊急警報の伝達に極めて有効な手段である。ＴＭＣＣ信号中の起動制御信号、放送ＴＳ信号内のダミーバイト部分に多重されてスタジオから放送ネットワークを介して全国各地の送信所に伝送される。
【００１２】
しかしながら、この方法の場合、起動制御信号が全国の送信所に配信されるため受信機の緊急起動が必要ない地域、例えば、緊急災害が発生していない地域、の受信機まで自動起動してしまうことになり、自動起動システムそのものに対する信頼を損なうことにもなりかねないという課題がある。 
【００１３】
本発明は、上記のような従来技術の課題を解決するものであり、各地域向け情報を該当する地域の視聴者に確実に視聴させる、安価かつ運用が容易なデジタル放送システム及びデジタル放送方法を提供することを目的とする。
さらに、本発明は、上記ＩＳＤＢ−Ｔ方式の緊急警報により受信機を自動起動する機能を有効に活用するデジタル放送方法を提供する。
【課題を解決するための手段】
【００１４】
上記課題を解決するために、本発明の一態様は、トランスポートストリーム形式の放送信号（以下、「放送ＴＳ信号」という。）を生成するスタジオ局（１１）と、放送ＴＳ信号を配信する通信回線（５８）を介して配信された放送ＴＳ信号を受信し、地上波デジタル放送信号に変換して所定の無線周波数で当該放送区域の地上波放送用受信機に送信する地上波デジタル放送用送信所（３１）を備えるデジタル放送システムであって、前記スタジオ局が、異なる地域向けデータ放送コンテンツに該コンテンツを放送する地域の番組特定情報と関連付ける識別子が付与されたデータ送信用信号を生成するデータ放送制作送出部（２２）と、前記データ送信用信号を含む信号と番組特定情報を多重化して放送ＴＳ信号を生成する多重化部（２１）を有し、前記地上波デジタル放送用送信所が、放送ＴＳ信号に含まれる番組特定情報を当該放送区域に指定された番組特定情報に書き換えるＰＳＩ書換部（７２）を有し、放送ＴＳ信号を異なる地上波放送区域に放送可能にした。
【００１５】
本発明に係るデジタル放送システムによれば、スタジオ局において異なる地域向けデータ放送コンテンツに該コンテンツを放送する地域の番組特定情報と関連付ける識別子がデータ送信用信号に付与され、１又は複数の放送区域に対してそれぞれの放送区域を担当する１又は複数の地上波放送用送信所において放送ＴＳ信号中の番組配列情報を各地上波放送区域に指定された番組特定情報に書き換えて放送するため、例えば緊急時において、いずれの放送区域においても放送区域内の受信機の設定を変更することなく放送サービスを受信することができる。
【００１６】
地上波放送用受信機は、ＰＳＩ書換部（７２）で書き換えられた番組特定情報から当該放送区域に対応する識別子を選択し、当該地域向けコンテンツを表示するのが好ましい。
このことによって、放送ＴＳ信号内の番組特定情報が各地域の地上波デジタル放送用送信所で、当該送信所に付与されたＮＩＴ及び関連する番組特定情報に書き換えられるので、当該送信所の放送区域内の受信機は当該地域向けデータ放送情報や災害情報などを自動的に選択し表示することができる。
【００１７】
好ましい態様では、スタジオ局が、番組特定情報に緊急放送を行う1又は複数の地域の地域コードが入力される入力部を有し、地上波デジタル放送用送信所が、入力された地域コードを当該送信所に割り当てられた地域コードと照合する照合部と、一致する地域コードが存在する場合にはデジタル放送信号中の緊急放送用起動制御フラグを起動する起動部を有する。
【００１８】
上記態様では、配信回線を介して配信される放送ＴＳ信号に多重化されているＰＭＴ内の緊急情報記述子中の対象地域コードから該当する地域の送信所のＰＳＩ書換部において、放送ＴＳ信号内の送信制御情報の中の緊急放送用起動制御フラグを起動することで緊急起動が必要な地域の受信機のみを起動するので、災害情報を優先的にテレビ画面に表示して視聴者の注意を喚起する緊急警報放送（Early Warning Broadcasting System）を地域限定で発信することができる。
【００１９】
スタジオ局が、情報を伝送していないパケットを放送ＴＳ信号から削除して伝送速度を圧縮する放送ＴＳ信号圧縮装置（７３）を有し、地上波放送用送信所が、放送ＴＳ信号圧縮装置により圧縮された圧縮放送ＴＳ信号に前記パケットを再度挿入して、圧縮前の放送ＴＳ信号に伸長する放送ＴＳ信号伸長装置（７４）を有するのが好適である。
これによって、配信回線を介して配信される放送ＴＳ信号の中から無効パケットなど受信側で不要なパケット（領域）が削除されるため、放送ＴＳ信号の伝送レートを下げることができ、配信回線の所要帯域幅を削減できる。
【００２０】
本発明の第２の態様では、スタジオ局が、異なる地域向けデータ放送コンテンツに該コンテンツを放送する地域の番組特定情報と関連付ける識別子が付与されたデータ送信用信号を生成するデータ放送制作送出部と、前記データ送信用信号を含む信号と番組特定情報を多重化して放送ＴＳ信号を生成する多重化部を有し、前記地上波デジタル放送用送信所が、放送ＴＳ信号に含まれる番組特定情報を当該放送区域に指定された番組特定情報に書き換えるＰＳＩ書換部と、情報を伝送していないパケットを前記放送ＴＳ信号から削除し伝送速度を圧縮する放送ＴＳ信号圧縮装置とを有し、地上波デジタル放送用送信所が、放送ＴＳ信号圧縮装置により圧縮された圧縮放送ＴＳ信号に前記パケットを挿入して伸長し、該伸長された放送ＴＳ信号に含まれる番組特定情報を当該放送区域に指定された番組特定情報に書き換える放送ＴＳ信号伸張・ＰＳＩ書換部（７５）を有するデジタル放送システムを提供する。
【００２１】
本発明に係るデジタル放送システムによれば、スタジオ局において異なる地域向けデータ放送コンテンツに該コンテンツを放送する地域の番組特定情報と関連付ける識別子がデータ送信用信号に付与された放送ＴＳ信号から情報を伝送していないパケットが削除され、１又は複数の放送区域に対してそれぞれの放送区域を担当する１又は複数の地上波放送用送信所において前記パケットが挿入された放送ＴＳ信号中の番組配列情報を各地上波放送区域に指定された番組特定情報に書き換えて放送するため、放送ＴＳ信号の伝送速度が短縮される。そして、例えば緊急時において、いずれの放送区域においても放送区域内の受信機の設定を変更することなく放送サービスを受信することができる。
【００２２】
本発明の第３の態様では、異なる地域向けデータ放送コンテンツに該コンテンツを放送する地域の番組特定情報と関連付ける識別子が付与されたデータ送信用信号を含む信号と番組特定情報が多重化された放送ＴＳ信号を受信する受信部（５６）と、前記受信部によって受信された放送ＴＳ信号に含まれる番組特定情報を当該送信所の地上波放送区域に指定された番組特定情報に書き換えるＰＳＩ書換部（７２）とを備えることを特徴とする地上波放送用送信所を提供する。
【００２３】
本発明の第４の態様では、放送ＴＳ信号を地上波デジタル放送信号に変換して所定の無線周波数で当該放送区域の地上波放送用受信機に送信する地上波デジタル放送用送信所に配置され、異なる地域向けデータ放送コンテンツに該コンテンツを放送する放送地域の番組特定情報と関連付ける識別子が付与されたデータ送信用信号を含む信号と番組特定情報が多重化して生成された放送ＴＳ信号を前記放送地域に指定された番組特定情報に書き換えるＰＳＩ書換部であって、該ＰＳＩ書換部が、放送ＴＳ信号に組み入れられた放送地域の番組特定情報と関連付ける識別子（地域コード）と当該送信所に割り当てられた１又は複数の放送区域を識別する識別子（地域コード）を照合する照合部と、前記２つの識別子が一致する場合には、デジタル放送信号中の放送地域の番組特定情報を放送するための起動制御フラグを起動する起動部とを有することを特徴とする。ここで、異なる地域向けデータ放送コンテンツは緊急警報に関する内容を含む。
【００２４】
本発明に係るデジタル放送方法では、異なる地域向けデータ放送コンテンツに該コンテンツを放送する地域の番組特定情報と関連付ける識別子を付与してデータ送信用信号を生成するステップと、前記データ送信用信号を含む信号と番組特定情報を多重化して放送ＴＳ信号を生成するステップと、前記ステップで生成された放送ＴＳ信号を通信回線を介して地上波デジタル放送用送信所に配信するステップと、前記地上波デジタル放送用送信所に配信された放送ＴＳ信号に含まれる番組特定情報を当該放送区域に指定された番組特定情報に書き換えるステップと、前記ステップで書き換えられた放送ＴＳ信号を地上波デジタル放送信号に変換するステップとを含むことを特徴とする。
【００２５】
さらに本発明の別の態様では、スタジオ局において、１又は複数の地域の地域コードが入力された番組特定情報が多重化されて放送ＴＳ信号が生成されるステップと、前記ステップにて生成された放送ＴＳ信号を地上波デジタル放送用送信所に配信するステップと、前記ステップにて配信された放送ＴＳ信号を受信した前記地上波デジタル放送用送信所が、前記放送ＴＳ信号に組み入れられた前記地域コードと当該送信所に割り当てられた地域コードを照合し、一致する地域コードが存在する場合には地上波デジタル放送信号中の緊急放送用起動制御フラグを起動するステップとを含むデジタル放送方法を提供する。
【発明の効果】
【００２６】
本発明のデジタル放送システム及びデジタル放送方法によれば、例えば自然災害などにより被災した地上波放送用送信所において、スタジオ局が生成した放送ＴＳ信号に含まれる番組特定情報が当該地上波放送区域に指定された番組特定情報に書き換えられるため、当該放送ＴＳ信号を配信することで１又は複数の被災地域の放送サービスを受信することが可能となり、安価かつ容易な運用によって各地域向け情報が必要な当該地区の視聴者に届けられる。
【００２７】
また、本発明のデジタル放送方法によれば、地域コードの記録された番組特定情報が記録された放送ＴＳ信号が、地上波デジタル放送用送信所で当該送信所に割り当てられた地域コードと照合され、一致する地域コードが存在する場合には緊急放送用起動制御フラグを起動し、当該地域内の受信機を自動起動させるので、地域限定の緊急警報を発信することができる。
【図面の簡単な説明】
【００２８】
【図１】実施例１に係るデジタル放送システムの構成を示すブロック図である。
【図２】スタジオ局において生成された放送ＴＳ信号の構成を示す説明図である。
【図３】実施例１に係る番組特定情報の構成図である。
【図４】ＰＳＩ書換部の構成を示すブロック図である。
【図５】ＰＳＩ書換部におけるＴＳパケット書き換えを示す図である。
【図６】緊急警報放送時に地上デジタル放送用受信機を起動するフロー図である。
【図７】実施例３に係るデジタル放送システムの構成を示すブロック図である。
【図８】実施例４に係るデジタル放送システムの構成を示すブロック図である。
【図９】放送ＴＳ信号と圧縮放送ＴＳ信号の構成を示す図である。
【図１０】実施例４に係るデジタル放送システムの構成を示すブロック図である。
【図１１】放送ＴＳ信号伸張・ＰＳＩ書換装置の構成を示すブロック図である。
【図１２】従来の地上デジタル放送システムの構成を示すブロック図である。
【発明を実施するための形態】
【００２９】
以下、図に示す実施例により本発明をさらに詳細に説明する。このことにより、本発明が限定されるものではない。また、以下の実施例において同一機材については同一の符号を付し、その重複する説明は省略する。
【実施例】
【００３０】
−実施例１−
図１は、実施例１に係るデジタル放送システムの構成を示す。
図１に示すように、デジタル放送システム１は、全国向け放送プログラム信号を制作・編集するスタジオ局１１と、通信配信局６１と、通信回線５８と、複数の地方局送信所（本明細書において、「地上波デジタル放送用送信所」又は、単に「送信所」ということがある。）３１Ａ，…，３１Ｎで構成される。各地方局送信所３１Ａ，…，３１Ｎは同一構成であり、単に符号３１で表わすことがある。
【００３１】
スタジオ局１１は、番組制作編集機能を有し、スイッチャ１４、データ放送制作送出部２２、ＰＳＩ生成部２０、多重化部２１を備える。通信配信局６１は、スタジオ局１１に併設し、通信用送受信アンテナ６２と通信用送受信器６３を備える。通信回線５８は、本実施例では通信衛星を介する。
スイッチャ１４は、制作され、供給された各種の番組素材を選択する。データ放送制作送出部２２はデータ放送用信号を作成し、ＰＳＩ生成部２０は番組特定情報を生成し、多重化部２１は、データ放送制作送出部２２で作成されたデータ放送用信号やＰＳＩ生成部２０で生成された番組特定情報を多重化して放送ＴＳ信号を生成する。このように放送ＴＳ信号に多重化されている番組特定情報は、当該地方局に割り当てられたＩＤ番号ではない他の番号も使用できる。
【００３２】
データ放送制作送出部２２は、全国向け放送プログラム信号を、放送対象とする地域Ａ，…，Ｎに関連するデータ放送コンテンツとして制作するとともに、それらの特定地域向けコンテンツにそれぞれの対象地域のネットワークＩＤでＢＭＬ（Broadcast Markup Language）の関数getProgramID()により受信機側で表示する識別子が取得される。識別情報やＢＭＬの関数については、電波産業会の標準規格であるARIB STANDARDやARIB TECHNICAL REPORTなどで規定されている。
【００３３】
制作された各種の番組素材はスイッチャ１４で選択され、エンコードして変換されたデジタル信号（ＴＶ信号）になり、データ放送制作送出部２２で作成されたデータ放送用信号やＰＳＩ生成部２０で生成された番組特定情報とともに多重化部２１で多重化されて放送ＴＳ信号が生成される。この地方局向け放送ＴＳ信号は、通信配信局６１の通信用送受信器６３に伝送され、通信用送受信器６３から、通信用送受信アンテナ６２、通信回線５８を介して地方局送信所３１に伝送される。
【００３４】
地方局送信所３１は、受信アンテナ７１、通信用受信機５６、ＰＳＩ書換部７２、伝送路符号化部３２、デジタル変調部３３、送信部３７、及び送信アンテナ３８とを備える。
受信アンテナ７１は通信回線５８から送られる放送ＴＳ信号を受け取り、通信用受信機５６は受信アンテナ７１で受け取られた放送ＴＳ信号を受信し、ＰＳＩ書換部７２は通信用受信機５６で受信した放送ＴＳ信号内の番組特定情報を当該地方局に割り当てられたＩＤに書き換える。伝送路符号化部３２、デジタル変調部３３、送信部３７、及び送信アンテナ３８は、地方局送信所３１の地上放送用送信設備である。
【００３５】
通信配信局６１から伝送された当該地方局送信所３１向け放送ＴＳ信号は、受信アンテナ７１を介して通信用受信機５６で受信される。受信した放送ＴＳ信号内の番組特定情報は、ＰＳＩ書換部７２で当該地方局に割り当てられたＩＤに書き換えられる。次に、当該地方局向け放送ＴＳ信号は、当該地方局送信所３１の地上放送用送信設備である伝送路符号化部３２、デジタル変調部３３、送信部３７を介して、変換・変調された後、当該地方局の放送区域向け放送信号として送信アンテナ３８から無線送信される。
【００３６】
特定地域向けコンテンツは、データ放送制作送出部２２において、当該地域のネットワークＩＤで関数getProgramID()により受信機側で表示する表記が行なわれているので、地方局送信所３１の受信機（図示せず）は、当該地域に割り当てられたＩＤ番号をgetProgramID()番号の戻り値として当該地域向けのデータ放送情報を自動的に選択表示することができる。
【００３７】
図２は、スタジオ局１１において生成された放送ＴＳ信号５１の構成を示す。図２（ａ）に示すように、放送ＴＳ信号５１は、各地域に共通な映像／音声信号（Ａ／Ｖ）と、番組特定情報（ＰＳＩ／ＳＩ：Program Specific Information／Service Information）と、各地域向けに異なるコンテンツ（ＢＭＬと略記）で構成されたデータ放送信号で構成される。
図２（ｂ）に示すように、番組編集制作を行うスタジオ局１１の多重化部２１で番組特定情報（ＰＳＩ／ＳＩ）と、映像／音声信号（Ａ／Ｖ）と、各地域のnetwork_idで関数getProgramID()により受信機側で表示する表記が行なわれている各地域向けデータ放送コンテンツ（ＢＭＬコンテンツ）とが多重化され、１つの放送ＴＳ信号５１となる。
【００３８】
放送ＴＳ信号５１は、通信回線５８を介して各地域の送信所３１に送られる。この放送ＴＳ信号５１は地方局送信所３１Ａ，…，３１Ｎに備えられたＰＳＩ書換部（図１参照）においてＰＳＩ／ＳＩ内のnetwork_id情報が書き換えられたのちにデジタル変調され、ＵＨＦ帯周波数で当該地域内に放送される。各地域の地上デジタル放送用受信機４１Ａ，…，４１Ｎは、各地域の送信所３１Ａ，…，３１Ｎから放送された信号からＰＳＩ／ＳＩ情報を取得して格納する。次に、受信された信号はＢＭＬブラウザにおいてgetProgramID()関数の戻り値として取得したＰＳＩ／ＳＩ情報内のnetwork_id（識別子）を用いて当該地域向けのデータ放送コンテンツを選択する。選択されたデータ放送コンテンツはＡ／Ｖ信号と合成されて当該受信機のディスプレイに表示される。
この受信機動作により、各地域の地上デジタル放送用受信機４１Ａ，…，４１Ｎは各地域向けデータ放送コンテンツを表示することができる。
【００３９】
以下、番組特定情報の付け替え動作について詳しく説明する。
例えば、ＩＳＤＢ−Ｔ方式では、国ごとに規定される運用規定によって、各地域の放送事業者毎に、ネットワークＩＤ、ＴＳＩＤ、サービスＩＤが割り当てられている。これらのＩＤ番号はＮＩＴで定義され、受信機が記憶することを推奨している。ＮＩＴに記載したＩＤ番号と各ＴＳパケットとの関連付けを行うために、プログラムアソシエーションテーブル（ＰＡＴ：Program Association Table）と、プログラムマップテーブル（ＰＭＴ：Program Map Table）という２つの構造体を参照する。ＴＳ信号の構造は、ARIB TR-B14で定義されている。
【００４０】
図３は、ＮＩＴ，ＰＡＴ及びＰＭＴの関係を示す番組特定情報の構成図である。図３に示すように、ＮＩＴは、ネットワーク識別、ＴＳ識別、サービス識別（サービスタイプ）、送信パラメータの各情報を含んでいる。ＰＡＴは、ＮＩＴのＴＳ識別情報、サービス識別情報からそれぞれ抽出するＴＳ識別情報，プログラムナンバー情報（すなわち、ＰＭＴ ＰＩＤ）を含んでいる。そして、ＰＭＴは、ＰＡＴのプログラムナンバー情報から抽出するプログラムナンバー情報（使用するＰＩＤ）を含んでいる。
【００４１】
図４は、ＰＳＩ書換部７２の詳細構成を示す。ＰＳＩ書換部７２は、当該地方局のＩＤ番号（ＮＩＴ）などの番組特定情報を記憶するＰＳＩ記憶部１０１、放送ＴＳ信号のパケットの種別を検出するＰＩＤ検出部１０２、ＮＩＴの書き換えを行うＮＩＴ書換部１０３、ＰＡＴの書き換えを行うＰＡＴ書換部１０４、ＰＭＴの書き換えを行うＰＭＴ書換部１０５、ＩＤ番号の書き換えに伴い誤り検出パリティ（以下、ＣＲＣ３２と略記する。）を再計算するＣＲＣ３２生成部１０６Ａ，１０６Ｂ，１０６Ｃ、伝送するパケットを選択するパケット選択部１０７、放送ＴＳのリードソロモン誤り訂正符号（ＲＳＥＣＣ）を再計算するＲＳＥＣＣ部１０８を備える。
【００４２】
スタジオ局から伝送された放送ＴＳ信号は、ＰＩＤ検出部１０２に供給され、ＰＩＤ検出部１０２において、放送ＴＳ信号のパケットの種別（パケットＩＤ）が検出される。ＰＩＤ検出部１０２において検出されたパケット種別情報は、ＮＩＴ書換部１０３、ＰＡＴ書換部１０４、ＰＭＴ書換部１０５、パケット選択部１０７にそれぞれ供給される。
一方、ＮＩＴ書換部１０３、ＰＡＴ書換部１０４、ＰＭＴ書換部１０５には、ＰＳＩ記憶部１０１に記憶された当該地方局のＩＤ番号（ネットワーク識別情報、ＴＳＩＤ、サービス識別情報）がそれぞれ供給される。各書換部１０３，１０４，１０５の出力は、ＣＲＣ３２生成部１０６Ａ，１０６Ｂ，１０６Ｃを介してパケット選択部１０７に供給される。パケット選択部１０７の出力は、ＲＳＥＣＣ部１０８を介して当該放送区域の放送ＴＳ信号として出力される。
【００４３】
図５は、ＰＳＩ書換部７２におけるＴＳパケット書き換えを示す。書き換え後のＮＩＴは、ＰＳＩ記憶部１０１に記憶される。また、他の番組特定情報の書き換えに必要なＩＤ番号（ＰＡＴ、ＰＭＴ）はＮＩＴから抽出される。
スタジオ局から送られてきた放送ＴＳ信号に、パケットＩＤ（以下、ＰＩＤという。）に基づいてＮＩＴを示すＴＳパケットが見つかった場合、ＮＩＴ書換部１０３において、送られてきたパケットの情報（ＮＩＴ）を、ＰＳＩ記憶部１０１に記憶されていたＮＩＴに書き換える。そして、ＣＲＣ３２生成部１０６Ａにおいて、書き換えたＮＩＴに合わせてＣＲＣ３２を再計算し、パケット選択部１０７において、書き換えたパケットが選択されて、ＲＳＥＣＣ部１０８において、書き換えたＴＳパケットのリードソロモン誤り訂正符号（ＲＳＥＣＣ）を再計算してパリティが付け直される。
【００４４】
ＰＩＤに基づいてＰＡＴを示すＴＳパケットが見つかった場合、ＰＡＴ書換部１０４において、送られてきたパケットの情報（ＰＡＴのＴＳＩＤ及びプログラムナンバー）を、ＰＳＩ記憶部１０１に記憶されていたＰＡＴのＴＳＩＤ及びプログラムナンバーに書き換える。そして、ＮＩＴの場合と同様に、ＣＲＣ３２生成部１０６Ｂにおいて、書き換えたＰＡＴに合わせてＣＲＣ３２を再計算し、パケット選択部１０７において、書き換えたパケットが選択されて、ＲＳＥＣＣ部１０８において、書き換えたＴＳパケットのリードソロモン誤り訂正符号を再計算してパリティ付け直される。
【００４５】
ＰＩＤに基づいてＰＭＴを示すＴＳパケットが見つかった場合、ＰＭＴ書換部１０５において、送られてきたパケットの情報（ＰＭＴのプログラムナンバー）を、ＰＳＩ記憶部１０１に記憶されていたＰＭＴのプログラムナンバーに書き換える。そして、ＮＩＴの場合と同様に、ＣＲＣ３２生成部１０６Ｃにおいて、書き換えたＰＭＴに合わせてＣＲＣ３２を再計算し、パケット選択部１０７において、書き換えたパケットが選択されて、ＲＳＥＣＣ部１０８において、書き換えたＴＳパケットのリードソロモンエラー訂正符号を再計算してパリティ付け直される。
また、必要に応じて、ＰＡＴ，ＰＭＴ以外の番組特定情報についてもこれらの識別情報の書き換えが行われる。このことで、他の地域の放送ＴＳ信号を、当該地方局の放送ＴＳ信号に変換することができる。そして、書き換えないパケット（映像パケット、音声パケット）はそのまま出力される。
【００４６】
実施例１では、通信用受信機５６から供給される放送ＴＳ信号に多重化されている番組特定情報がＰＳＩ書換部７２において当該地方局に割り当てられたＩＤ番号に書き換えられるので、当該地方局の放送区域内の受信機は平常サービス時と同じＩＤ番号であることを認識して正常に受信することができる。このため、当該地方局の放送区域内において、受信機がネットワークＩＤを認識できず受信不能となる事態が防止できる。また、このＩＤ番号を認識して当該地域向けにネットワークＩＤ番号と関連付けられたデータ放送を自動的に認識し、表示することができる。
【００４７】
また、通信用受信機５６から供給される放送ＴＳ信号に多重化されている番組特定情報をＰＳＩ書換部７２において当該地方局に割り当てられたＩＤ番号に書き換えるので、当該地方局の放送区域内の地上デジタル放送用受信機４１（図２参照）は、当該地域に割り当てられたＩＤ番号をgetProgramID()番号の戻り値として当該地域向けのデータ放送情報を自動的に選択し表示することができる。
【００４８】
−実施例２−
実施例２に係るデジタル放送システムの構成は、実施例１と同様であるが、本実施例では、更に、スタジオ局１１は、地域コードが入力される入力部（図示せず）を有し、地方局送信所３１は、前記地域コードと当該地方局送信所３１に割り当てられた地域コードと照合する照合部（図示せず）と、デジタル放送信号中の緊急放送用起動制御フラグを起動する起動部（図示せず）を有する。
【００４９】
実施例１に係るデジタル放送システム１では、ＴＭＣＣ信号内の起動制御信号（緊急警報放送用起動フラグ）を起動する送信制御情報が放送ＴＳ信号に含まれていないため、地上デジタル放送用受信機４１の自動起動ができない。一方、この制御情報を起動するように設定すると放送ＴＳ信号が配信される地域で起動制御信号が起動し緊急情報が表示されるので無用な混乱を招くおそれがある。
本実施例では通信用受信機５６から供給される放送ＴＳ信号に多重化されているＰＭＴ内の緊急情報記述子の中の対象地域コードから該当する地域の送信所３１のＰＳＩ書換部７２において、放送ＴＳ信号内の送信制御情報の中の緊急放送用起動制御フラグを起動させることで緊急起動が必要な地域の受信機のみを起動することができるようにするものである。
【００５０】
入力部には、番組特定情報に例えば緊急放送を行う１又は複数の地域の地域コードが入力される。照合部は、送信所３１に供給された放送ＴＳ信号に多重化されているＰＭＴ内の緊急情報記述子中の対象地域コードと、当該送信所に割り当てられた地域コードと照合し、一致する地域コードが存在する場合には起動部に信号を起動部に送信する。起動部は、照合部からの信号に基づいてデジタル放送信号中の緊急放送用起動制御フラグを起動する。
【００５１】
ＰＳＩ生成部２０は、緊急警報放送起動時にＰＭＴに緊急情報記述子を挿入し、そこに自動起動を行う対象地域の地域コードを記載して放送ＴＳ信号に多重化する。この放送ＴＳ信号は、通信配信局６１、通信回線５８を介して、地方局送信所３１に設置された受信アンテナ７１から通信用受信機５６に配信される。
図６は、緊急警報放送時に地上デジタル放送用受信機４１を起動するフロー図である。
【００５２】
ステップ１（Ｓ１）で、スタジオ局１１内のＰＳＩ生成部２０において、緊急警報放送を行う１又は複数の地域コードがＰＭＴ内の緊急情報記述子に書き込まれる。
ステップ２（Ｓ２）で、この緊急情報記述子は他の制御情報と共に多重化部２１において放送ＴＳ信号に多重化される。
ステップ３（Ｓ３）で、多重化された放送ＴＳ信号は通信回線５８（図１参照）を介して各地域の地方局送信所３１に配信され、受信復調された放送ＴＳ信号はＰＳＩ書換部７２に入力される。
【００５３】
ステップ４（Ｓ４）で、ＰＳＩ書換部７２が備える照合部において、放送ＴＳ信号に多重化されているＰＭＴ内の緊急情報記述子の中に記録されている１又は複数の地域コード（識別子）と当該送信所に割り当てられた地域コード（識別子）が照合される。
一致する地域コードが存在した場合は、ステップ５（Ｓ５）で、放送ＴＳ信号に多重化された制御情報内の緊急放送用起動制御フラグを起動にして次段の伝送路符号化部３２に送り、一致する地域コードが存在しない場合は、終了する。
【００５４】
ステップ６（Ｓ６）で、伝送路符号化部３２においてＴＭＣＣ信号内の緊急放送用起動制御フラグをオフからオンに変えて当該地域に向けて放送する。
ステップ７（Ｓ７）で、当該地域内の受信機４１はＴＭＣＣ信号内の緊急放送用起動制御フラグを監視して、オンの場合は受信機を自動的に起動させる。
以上のプロセスにより、指定された１又は複数の地域の受信機のみ緊急放送用起動制御フラグにより自動起動させることができる。
【００５５】
以上のように、本実施例では、ＰＭＴ内の緊急情報記述子に記載された1又は複数の地域コードと自送信所に割り当てられた地域コードを照合して一致している場合はデジタル放送信号のＴＭＣＣ信号内の緊急放送用起動制御フラグを起動にして放送し、当該地域内の受信機を自動起動させることができる。ここで、地域コードは、異なる地域向けデータ放送コンテンツに該コンテンツを放送する地域の番組特定情報と関連付けられた識別子である。
【００５６】
−実施例３−
図７は、実施例３に係るデジタル放送システムの構成を示す。図７に示すデジタル放送システム２は、図１の通信配信局６１、地方局送信所３１の受信アンテナ７１及び通信用受信機５６で構成される配信ネットワークの代わりに、マイクロ波送受信システム（ＳＴＬ：スタジオ−送信所間中継装置）（以下、「ＳＴＬ」ということがある。）を使用する場合を示す。
【００５７】
つまり、図１の通信配信局６１の代わりにＳＴＬ送信部８２、地方局送信所３１の受信アンテナ７１と通信用受信機５６の代わりにＳＴＬ受信部８３で構成され、ＳＴＬ送信部８２は、マイクロ波送受信アンテナ８４とマイクロ波送受信機８５を備え、ＳＴＬ受信部８３は、マイクロ波送受信アンテナ８６とマイクロ波送受信機８７を備える。
本実施例では、スタジオ設備予備系８１Ｂで制作された放送ＴＳ信号は、ＳＴＬ送信部８２に供給され、マイクロ波送受信機８５においてマイクロ波デジタル変調信号に変換された後、マイクロ波送受信アンテナ８４から地方局送信所３１に運び込まれたＳＴＬ受信部８３に伝送される。
【００５８】
ＳＴＬ受信部８３のマイクロ波送受信アンテナ８６で受信された信号は、マイクロ波送受信機８７において復調され、ＰＳＩ書換部７２に供給される。
本実施例では、激甚災害時に特に需要が高まる衛星通信システムを使用することなしに、実施例１と同様な効果を得ることができる。
−変形例−
実施例２のＳＴＬの代わりに、光ファイバー通信システムなど衛星通信システム以外の通信システムを使用してもよい。
【００５９】
−実施例４−
図８は、実施例４に係るデジタル放送システムの構成を示す。図８に示すデジタル放送システム３では、スタジオ局１１に非常用バックアップとして放送ＴＳ信号圧縮装置７３が通信配信局６１の前段に、地方局送信所３１には放送ＴＳ信号伸長装置７４が通信用送受信機５６の後段にそれぞれ配置される。本実施例では、放送ＴＳ信号を伝送する代わりに、無効パケットを削除してビットレートを圧縮した放送ＴＳ信号である圧縮放送ＴＳ信号を伝送する。
【００６０】
放送ＴＳ信号は、６ＭＨｚ帯域幅の国ではビットレートの値が、３２．５０…Ｍｂｐｓ（８ＭＨｚ帯域幅の国では４３．３４…Ｍｂｐｓ）に規定されており、このビットレートに合わせるように、無効パケットが放送ＴＳ信号に挿入される。無効パケット信号は情報を伝送していないため送信所に伝送しなくても放送業務に支障は生じない。無効パケットを削除した伝送ビットレートは、フルセグ・プラス（＋）・ワンセグの場合約２１Ｍｂｐｓ（６ＭＨｚ帯域幅の場合）になるため、大幅なビットレートの削減ができる。
全国向け制作編集局１１のスタジオ設備８１で制作された放送ＴＳ信号は、放送ＴＳ信号圧縮装置７３において放送ＴＳ信号から無効パケットが削除されて圧縮放送ＴＳ信号が生成される。一方、地方局送信所３１に伝送された圧縮放送ＴＳ信号は、放送ＴＳ信号伸長装置７４において圧縮放送ＴＳ信号に無効パケットが再度挿入されて規定のビットレートに合わされる。
【００６１】
図９は、放送ＴＳ信号と圧縮放送ＴＳ信号の構成を示す。必要パケット１２１と無効パケット１２２で構成される放送ＴＳ信号は、スタジオ局１１内の多重化部２１と地方局送信所３１内の伝送路符号化部３２（図７参照）のインターフェースを統一化するために、信号の伝送速度を放送波の任意の伝送パラメータ設定に対して一定の伝送速度（例えば、６ＭＨｚ放送帯域の場合、３２．５０…  Ｍｂｐｓ、８ＭＨｚ放送帯域の場合、４３．３４…Ｍｂｐｓ）に設定されている。このため、必要パケット１２１に無効パケット１２２を追加して伝送速度を合わせている。従って、無効パケット１２２は、放送ＴＳ信号配信回線２８を介して伝送する必要はなく、地方局送信所３１において伝送路符号化部３２の前段において再生すればよい。
【００６２】
図９下段は、放送ＴＳ信号圧縮装置７３（図８参照）の出力端の信号である圧縮放送ＴＳ信号を示し、無効パケット１２２が削除された状態で伝送される。無効パケット１２２の挿入位置は、放送波の伝送パラメータにより、一位的に決定されるため、送信所３１に備えられる放送ＴＳ信号伸長装置７４において挿入位置情報なしで再度挿入することができる。従って、放送ＴＳ信号伸長装置７４から伝送路符号化部３２に供給される信号は放送ＴＳ信号１２１となる。
このように、放送ＴＳ信号圧縮装置７３と放送ＴＳ信号伸長装置７４を使用することにより、所定の効果を損ねることなく放送ＴＳ信号伝送回線２８における所要帯域幅を圧縮することができる。
【００６３】
本実施例では、衛星回線５８を介して伝送される圧縮放送ＴＳ信号のビットレートは２１Ｍｂｐｓ強（６Ｍｈｚ帯域幅の場合）となり、所要衛星通信回線帯域幅を大幅に削減することが可能となる。これに伴って所要送信電力の削減も可能となる。
また、本実施例において、衛星回線５８を介して伝送される信号は圧縮放送ＴＳ信号であるが、送り側のスタジオ設備予備系８１の出力端及び受信側のＰＳＩ書換部７２の入力端における信号形式は放送ＴＳ信号であるため、既存設備との信号インターフェース規格は実施例１の場合と同じである。
【００６４】
以上、説明したように、本実施例では、必要な通信容量を大幅に削減することが可能であり、更なる所要通信回線帯域幅の削減が可能となる。
また、所要送信電力を削減することができるので、削減された帯域幅、電力を、通信衛星によるニュース素材収集（Satellite News Gathering）を行なうＳＮＧ地上局など別の設備運用に割り当てることができる。
【００６５】
−実施例５−
図１０は、実施例５に係るデジタル放送システムの構成を示す。図１０に示すデジタル放送システム４は、放送ＴＳ信号に対しての、フレーム同期処理、ＰＩＤ検出処理、クロック再生処理等のトランスポートストリーム信号処理機能を共に有している放送ＴＳ信号伸長装置７４とＰＳＩ書換部７２（図８参照）の機能を統合して、これら共通の回路機能を共有化又は一体化し、回路の削減を図っている。
具体的には、放送ＴＳ信号伸長装置７４とＰＳＩ書換部７２（図１０参照）の代わりに、両装置を一体化した放送ＴＳ信号伸張・ＰＳＩ書換装置７５が地方局送信所３１に備えられている。その他の構成は、デジタル放送システム３（図８参照）と同じである。
本実施例では、地方局送信所３１に伝送された圧縮放送ＴＳ信号は、放送ＴＳ信号伸張・ＰＳＩ書換装置７５において圧縮放送ＴＳ信号に再度無効パケットが挿入されて規定のビットレートに合わされ、更に、当該地方局に割り当てられたＩＤ番号に書き換えられる。
【００６６】
図１１は、放送ＴＳ信号伸張・ＰＳＩ書換装置７５の詳細構成を示す。放送ＴＳ信号伸張・ＰＳＩ書換装置７５は、ＴＳクロックを再生しＴＳパケットを抽出するＴＳ入力インターフェイス部１１１、ＴＳ入力インターフェイス部１１１の後段に接続されて放送ＴＳ信号のパケットの種別を検出するＰＩＤ検出部１１２、ＰＩＤ検出部１１２の後段に接続されて放送ＴＳの復元に必要なデータを抽出する放送ＴＳ抽出部１１３、放送ＴＳ抽出部１１３の後段に接続されて無効パケットを挿入する無効パケット挿入部１１４、放送ＴＳ抽出部１１３の後段に接続されて放送ＴＳ信号のデータから放送ＴＳクロックを再生する放送ＴＳクロック再生部１１５を備える。
【００６７】
更に、当該地方局のＩＤ番号（ＮＩＴ）などの番組特定情報を記憶しておくＰＳＩ記憶部１１６、無効パケット挿入部１１４の後段に接続されてＰＳＩ記憶部１１６に記憶された当該地方局のＩＤ番号などの番組特定情報を書き換えるＰＳＩ書換部１１７、ＰＳＩ書換部１１７の後段に接続されてリードソロモン誤り訂正符号（ＲＳＥＣＣ）を再計算するＲＳＥＣＣ部１１８、ＲＳＥＣＣ生成部１１８の後段に接続されたＴＳ出力インターフェイス部１１９を備える。
【００６８】
ＴＳ入力インターフェイス部１１１において抽出されたＴＳクロックはＰＩＤ検出部１１２及び放送ＴＳ抽出部１１３の各ブロックにそれぞれ供給される。また、放送ＴＳクロック再生部１１５において再生されたＴＳクロックは無効パケット挿入部１１４、ＰＳＩ書換部１１７、ＲＳＥＣＣ生成部１１８及びＴＳ出力インターフェイス部１１９の各ブロックにそれぞれ供給される。
ここで、ＴＳ入力インターフェイス部１１１、ＰＩＤ検出部１１２、ＲＳＥＣＣ生成部１１８、ＴＳ出力インターフェイス部１１９は、放送ＴＳ信号伸長装置７４とＰＳＩ書換部７２に共通しているので、放送ＴＳ信号伸張・ＰＳＩ書換装置７５として一体化することによって装置を簡易化することができ、安価になる。
【００６９】
以下、図１１を参照しながら、放送ＴＳ信号伸張・ＰＳＩ書換装置７５の動作を説明する。
図１１において、スタジオ局１１の放送ＴＳ信号圧縮装置７３（図１０参照）によって無効パケットを削除し、伝送用ＴＳに変換され、衛星回線５８を介して地方局送信所３１に伝送された圧縮放送ＴＳ信号は、放送ＴＳ信号伸張・ＰＳＩ書換装置７５のＴＳ入力インターフェイス部１１１に入力され、ＴＳクロックの再生及びＴＳパケットの抽出が行われる。更に、ＰＩＤ検出部１１２においてＰＩＤを監視してパケットの種別が検出される。放送ＴＳ抽出部１１３において放送ＴＳの復元に必要なデータが抽出される。抽出された放送ＴＳ信号のデータから放送ＴＳクロック再生部１１５においてクロックが生成され、このクロックに従って無効パケット挿入部１１４において無効パケットが挿入される。
【００７０】
無効パケット挿入部１１４の出力は、リードソロモン誤り訂正符号パリティを除き、伸張後の放送ＴＳ信号が復元されている。この放送ＴＳ信号の番組特定情報を書き換え、ＲＳＥＣＣ部１１８においてリードソロモン誤り訂正符号パリティが計算し直され、パリティが付け直され、当該放送区域の放送ＴＳ信号が完成する。そして、完成した当該放送区域放送ＴＳ信号が出力され、次段の伝送路符号化部３２（図９参照）に供給される。
以上、説明したように、本実施例では、実施例３と同様な効果を得ることができるとともに、更なる回路機能の削減が可能となる。そして、回路を削減した分だけ送信所に設置する機器費用及び設置容積を削減することができる。
【００７１】
以上、本発明を実施例に基づいて詳細に説明したが、本発明の構成及び上記説明に記載されていないその他のシステム構成や、放送プログラム制作や放送ＴＳ信号生成のバックアップ方法、放送ＴＳ信号及び圧縮放送ＴＳ信号の伝送放送、番組特定情報の書き換え方法等についても、本発明の要旨を逸脱しない範囲で、当業者の知識に基づいて種々の変形、修正、改良を加えて実施できる。本発明は、異なる地域向けデータ放送コンテンツとして災害情報などの緊急警報に関する内容を含むが、これに限定されない。
【符号の説明】
【００７２】
１，２，３，４  デジタル放送システム
１１  スタジオ局
１４  スイッチャ
２０  ＰＳＩ生成部，番組特定情報生成部
２２  データ放送制作送出部
２１  多重化部
２８  放送ＴＳ信号配信回線
３１，３１Ａ，…，３１Ｎ  地上波デジタル放送用送信所，地方局送信所，送信所
３２  伝送路符号化部
３３  デジタル変調部
３７  送信部
３８  送信アンテナ
４１，４１Ａ，…，４１Ｎ  地上デジタル放送用受信機，受信機
５１  放送ＴＳ信号
５６  通信用受信機，受信部
５８  通信回線，衛星回線
６１  通信配信局
６２  通信用送受信アンテナ
６３  通信用送受信機
７１  受信アンテナ
７２，１１７  ＰＳＩ書換部，番組特定情報書換部
７３  放送ＴＳ信号圧縮装置
７４  放送ＴＳ信号伸長装置
７５  放送ＴＳ信号伸張・ＰＳＩ書換装置
８１  スタジオ設備
８２  ＳＴＬ送信部
８３  ＳＴＬ受信部
８４，８６  マイクロ波送受信アンテナ
８５，８７  マイクロ波送受信機
１０１，１１６  ＰＳＩ記憶部
１０２，１１２  ＰＩＤ検出部
１０３  ＮＩＴ書換部
１０４  ＰＡＴ書換部
１０５  ＰＭＴ書換部
１０６Ａ，１０６Ｂ，１０６Ｃ  ＣＲＣ３２生成部
１０７  パケット選択部
１０８，１１８  ＲＳＥＣＣ部
１１１  ＴＳ入力インターフェイス部
１１３  放送ＴＳ抽出部
１１４  無効パケット挿入部
１１５  放送ＴＳクロック再生部
１１９  ＴＳ出力インターフェイス部
【図１】
2017073619.tif 000003
【図２】
2017073619.tif 000004
【図３】
2017073619.tif 000005
【図４】
2017073619.tif 000006
【図５】
2017073619.tif 000007
【図６】
2017073619.tif 000008
【図７】
2017073619.tif 000009
【図８】
2017073619.tif 000010
【図９】
2017073619.tif 000011
【図１０】
2017073619.tif 000012
【図１１】
2017073619.tif 000013
【図１２】
2017073619.tif 000014